(57)【特許請求の範囲】
【請求項１】
傾斜屋根の軒先部に取り付けられる少なくとも二つの軒樋と、
隣接する前記二つの軒樋の端同士を連通接続させるケラバ樋と、
前記二つの軒樋の一方に接続される縦樋と、を具備し、
前記軒先部は、
前記傾斜屋根の傾斜方向と直交するように傾いた軒側の面を有する第一鼻隠し部と、
前記第一鼻隠し部よりも高い位置にあり、且つ、前記傾斜屋根の傾斜方向と直交するように傾いた軒側の面を有する第二鼻隠し部と、
前記第一鼻隠し部と前記第二鼻隠し部の端同士をクランク状に繋ぐケラバ部と、を有し、
前記二つの軒樋は、
前記第一鼻隠し部が有する前記軒側の面に沿うように傾いた姿勢で配置され、且つ、前記縦樋に連通接続される第一軒樋と、
前記第二鼻隠し部が有する前記軒側の面に沿うように傾いた姿勢で配置される第二軒樋であり、
前記ケラバ樋は、
前記第一軒樋と前記第二軒樋に対して共に直交する姿勢で連通接続されることで、屋根の傾斜に応じた勾配を有することを特徴とする屋根の排水構造。
【請求項２】
前記第一軒樋と前記ケラバ樋を互いに直交する方向に連通接続させる出隅状の第一軒継手と、
前記ケラバ樋と前記第二軒樋を互いに直交する方向に連通接続させる入隅状の第二軒継手と、を更に具備することを特徴とする請求項１に記載の屋根の排水構造。
【発明の詳細な説明】
【技術分野】
【０００１】
本発明は、屋根の排水構造に関し、詳しくは、傾斜屋根の軒先で排水を行うための構造に関する。
【背景技術】
【０００２】
従来、傾斜屋根の軒先には、排水のために軒樋を設置する。軒樋には、更に縦樋を接続させて設け、傾斜屋根を伝って流れた雨水を、軒先の軒樋と縦樋を通じて排水する（特許文献１等参照）。
【先行技術文献】
【特許文献】
【０００３】
【特許文献１】特開２００５−３３０７４２号公報
【発明の概要】
【発明が解決しようとする課題】
【０００４】
近年の建物においては、傾斜屋根の軒先に、高さが互いに異なる複数の鼻隠し部を設けている場合（傾斜屋根の軒先に段差を有する場合）が多い。この場合、傾斜屋根の軒先での排水構造を、見栄え良く形成することが困難であるという問題があった。
【０００５】
というのも、異なる高さにある鼻隠し部ごとに軒樋を設置し、それぞれの軒樋に縦樋を接続させる構造を採用したときには、軒先の排水を効率的に行うことができるが、多数の縦樋が存在するために全体の見栄えが悪くなる。
【０００６】
これに対して、隣接する軒樋同士をケラバ樋で連通接続させ、一連の軒樋の排水を共通の縦樋で行う構造を採用することも考えられる。この構造によれば、建物全体での縦樋の数を減らすことができ、全体の見栄えが良くなる。
【０００７】
しかし、この構造では、軒樋とケラバ樋を連結させるための樋継手として、傾斜屋根の勾配に応じた専用形状の軒継手が必要となる。仮に、軒継手の形状が、傾斜屋根の勾配に対応しない形状である場合に、この軒継手で強引に軒樋とケラバ樋を連結させたときには、建物の軒先の外観上の統一感が失われ、見栄えが悪化することになる。
【０００８】
本発明は、前記課題を解決する発明であり、傾斜屋根の軒先が段差を有する場合であっても、軒樋等を用いた排水構造を見栄え良く形成することのできる屋根の排水構造を提供することを、目的とする。
【課題を解決するための手段】
【０００９】
前記課題を解決するために、本発明を、下記構成を具備する屋根の排水構造とする。
【００１０】
本発明は、傾斜屋根の軒先部に取り付けられる少なくとも二つの軒樋と、隣接する前記二つの軒樋の端同士を連通接続させるケラバ樋と、前記二つの軒樋の一方に接続される縦樋とを具備する。前記軒先部は、第一鼻隠し部と、第二鼻隠し部と、ケラバ部とを有する。前記第一鼻隠し部は、前記傾斜屋根の傾斜方向と直交するように傾いた軒側の面を有する。前記第二鼻隠し部は、前記第一鼻隠し部よりも高い位置にあり、且つ、前記傾斜屋根の傾斜方向と直交するように傾いた軒側の面を有する。前記ケラバ部は、前記第一鼻隠し部と前記第二鼻隠し部の端同士をクランク状に繋ぐ。前記二つの軒樋は、第一軒樋と、第二軒樋である。前記第一軒樋は、前記第一鼻隠し部が有する前記軒側の面に沿うように傾いた姿勢で配置され、且つ、前記縦樋に連通接続される。前記第二軒樋は、前記第二鼻隠し部が有する前記軒側の面に沿うように傾いた姿勢で配置される。前記ケラバ樋は、前記第一軒樋と前記第二軒樋に対して共に直交する姿勢で連通接続されることで、屋根の傾斜に応じた勾配を有する。
【００１１】
本発明は、出隅状の第一軒継手と、入隅状の第二軒継手とを更に具備することが好ましい。前記第一軒継手は、前記第一軒樋と前記ケラバ樋を互いに直交する方向に連通接続させる。前記第二継手は、前記ケラバ樋と前記第二軒樋を互いに直交する方向に連通接続させる。
【発明の効果】
【００１２】
本発明は、前記構成を具備する屋根の排水構造であるから、軒先に段差を有する傾斜屋根の排水構造を、見栄え良く形成することができるという効果を奏する。
【図面の簡単な説明】
【００１３】
【図１】本発明の一実施形態の屋根の排水構造の全体を概略的に示す斜視図である。
【図２】本発明の一実施形態の屋根の排水構造の要部を示す側断面図である。
【図３】図３Ａは、本発明の一実施形態の屋根の排水構造に用いる第一軒継手の斜視図であり、図３Ｂは、本発明の一実施形態の屋根の排水構造に用いる第二軒継手の斜視図である。
【図４】比較例の屋根の排水構造の要部を示す側断面図である。
【図５】比較例の屋根の排水構造の要部を示す側断面図である。
【発明を実施するための形態】
【００１４】
本発明を、添付図面に示す実施形態に基づいて説明する。
【００１５】
図１には、本発明の一実施形態の排水構造を備えた建物９の全体を、概略的に示している。本実施形態の排水構造は、建物９が備える傾斜屋根１の軒先の排水を行う構造である。
【００１６】
傾斜屋根１は、軒先部１０と棟部１１を、互いに反対側の端部に有する。以下においては、棟部１１から軒先部１０に向かう方向を「傾斜方向Ｄ１」といい、平面視において傾斜方向Ｄ１と直交する方向を「左右方向Ｄ２」という。また、平面視において、棟部１１に対して軒先部１０が位置する側を「前側」といい、その逆側を「後側」という。
【００１７】
傾斜屋根１の軒先部１０は、切り欠き状の段差を介して、高さの異なる二つの鼻隠し部１００，１０１を有する。二つの鼻隠し部１００，１０１は、前斜め下方に位置する第一鼻隠し部１００と、後斜め上方に位置する第二鼻隠し部１０１である。第一鼻隠し部１００と第二鼻隠し部１０１は、共に左右方向Ｄ２を長手方向とする板部材である。
【００１８】
第一鼻隠し部１００と第二鼻隠し部１０１は、ケラバ部１０２を介してクランク状に連続する。ケラバ部１０２は、傾斜方向Ｄ１を長手方向とする板部材である。
【００１９】
軒先部１０を形成する第一鼻隠し部１００と第二鼻隠し部１０１は共に、垂直面に対して傾いた軒側の面１００ａ，１０１ａを有する。
【００２０】
即ち、第一鼻隠し部１００は、傾斜方向Ｄ１と直交するように傾いて位置する軒側の面１００ａを有する。第二鼻隠し部１０１は、傾斜方向Ｄ１と直交するように傾いて位置する軒側の面１０１ａを有する。軒側の面１００ａ，１０１ａは共に、下側にいくほど後方に位置するように傾いた傾斜面である。
【００２１】
ケラバ部１０２が有する軒側の面１０２ａは、左右方向Ｄ２を向く面であり、第一及び第二鼻隠し部１００，１０１が有する軒側の面１００ａ，１０１ａに対して、共に直交して位置する。
【００２２】
本実施形態の排水構造は、軒先部１０に取り付けられる二つの軒樋２，２と、隣接する二つの軒樋２，２の端同士を連通接続させるケラバ樋３とを備える。
【００２３】
二つの軒樋２，２は、第一鼻隠し部１００が有する軒側の面１００ａに沿って配置される第一軒樋２０と、第二鼻隠し部１０１が有する軒側の面１０１ａに沿って配置される第二軒樋２１である。
【００２４】
ケラバ樋３は、ケラバ部１０２が有する軒側の面１０２ａに沿って配置され、第一軒樋２０と第二軒樋２１に対して連通接続される。
【００２５】
第一軒樋２０は、第一鼻隠し部１００が有する傾いた面１００ａに対して、平行な姿勢を保つように、上側を前方に傾けた姿勢で配置される（図２参照）。
【００２６】
第一軒樋２０、第二軒樋２１及びケラバ樋３の基本的な構造及び取付構造は共通であるから、以下においては、第一軒樋２０の構造及び取付構造について、図に基づいて説明する。
【００２７】
第一軒樋２０は、図２に示すように、前壁２００と、前壁２００の後方に位置する後壁２０１と、前壁２００と後壁２０１の下縁同士を接続する底壁２０２とを備える。前壁２００は上端に前耳部２０３を有し、後壁２０１は上端に後耳部２０４を有する。
【００２８】
第一軒樋２０を第一鼻隠し部１００の軒側の面１００ａに取り付けるには、吊具７を用いる。
【００２９】
吊具７は、固定プレート７０と、固定プレート７０と一体の吊具本体７１とを備える。吊具本体７１は、固定プレート７０から延設されるアーム７１０と、アーム７１０の基端部から下方に延設される当接片７１１とを有する。アーム７１０は、固定プレート７０と直交する方向に延設される。当接片７１１は、固定プレート７０と平行な方向に延設される。アーム７１０は、その先端部に前耳引掛部７１２を有し、その基端部に後耳引掛部７１３を有する。
【００３０】
この吊具７が備える固定プレート７０の後面を、第一鼻隠し部１００の面１００ａに当てた状態で、ビス等の固定具を用いて固定する。固定した吊具７に対して、第一軒樋２０を下方からあてがい、後耳部２０４を後耳引掛部７１３に引っ掛けた状態で第一軒樋２０を回転させ、前耳部２０３を前耳引掛部７１２に引っ掛ける。後斜め下方に延びる当接片７１１の下端部は、後壁２０１の内面に当接する。
【００３１】
この状態で、第一軒樋２０は吊具本体７１に吊り下げられ、傾斜屋根１の軒先部１０に取り付けられる。第一軒樋２０は、第一鼻隠し部１００の傾いた面１００ａと平行な姿勢（傾倒姿勢）を保つように配置される。
【００３２】
吊具７に吊り下げ支持される第一軒樋２０においては、後壁２０１が、第一鼻隠し部１００の面１００ａと平行に位置する。第一軒樋２０の底壁２０２は、傾斜方向Ｄ１と平行に位置する。
【００３３】
第二軒樋２１とケラバ樋３の取付構造については図示を省略するが、第二軒樋２１は、吊具７を用いた同様の構造で、第二鼻隠し部１０１の軒側の面１０１ａに取り付けられる。吊具７で吊り下げ支持された第二軒樋２１は、第二鼻隠し部１０１の面１０１ａと平行な姿勢を保つように、上側を前方に傾けた姿勢で配置される。第一軒樋２０と第二軒樋２１は、同一方向に同一角度だけ傾いて位置する。
【００３４】
ケラバ樋３は、吊具７を用いた同様の構造で、ケラバ部１０２の軒側の面１０２ａに取り付けられる。軒側の面１０２ａは鉛直面である。ケラバ樋３は、ケラバ部１０２の面１０２ａと平行な姿勢を保つように、吊具７で吊り下げ支持される。
【００３５】
第一軒樋２０とケラバ樋３は、図３Ａに示す出隅状の第一軒継手５を用いて、連通接続される。第一軒継手５は、第一軒樋２０に連通接続される前継手５０と、前継手５０の左右方向Ｄ１の端から後側に延設される後継手５１とを一体に有する。前継手５０と後継手５１は、直角に交差する。
【００３６】
ケラバ樋３と第二軒樋２１とは、図３Ｂに示す入隅状の第二軒継手６を用いて、連通接続される。第二軒継手６は、ケラバ樋３に連通接続される前継手６０と、前継手６０の後端から左右方向Ｄ２に延設される後継手６１とを一体に有する。前継手６０と後継手６１は、直角に交差する。
【００３７】
第一及び第二軒継手５，６を介してクランク状に連通接続させた第一軒樋２０、ケラバ樋３及び第二軒樋２１の排水は、第一軒樋２０に接続させた縦樋４を通じて行う。
【００３８】
つまり、本実施形態の排水構造を備えた建物９では、傾斜屋根１が軒先に段差を有する構造であるが、縦樋４は第一軒樋２０側の一箇所に設置するだけでよく、第一軒樋２０、ケラバ樋３及び第二軒樋２１の外観も統一されることから、見栄えが良好となる。また、第一軒樋２０、ケラバ樋３及び第二軒樋２１は共に、傾斜屋根１の軒先部１０に大きな隙間を空けることなく配置されることから（図２参照）、例えば下方から見上げたときに吊具７が大きく露出することもなく、見栄えが良好となる。加えて、第一軒継手５と第二軒継手６は、共にＬ字型に直交するタイプの継手でよいことから、傾斜屋根１の勾配に関わらず共通の部材を用いることができる。
【００３９】
図４と図５には、比較例を示している。
【００４０】
図４に示す比較例では、傾斜屋根１の第一鼻隠し部１００の軒側の面１００ａが鉛直面であり、本実施形態のように傾けた構造ではない。図示は省略するが、この例では第二鼻隠し部１０１の軒側の面１０１ａも鉛直面である。この場合、第一鼻隠し部１００の面１００ａに対して第一軒樋２０を平行に配置し、第二鼻隠し部１０１の軒側の面１０１ａに第二軒樋２１を平行に配置したときには、入隅及び出隅用の樋継手として、傾斜屋根１の勾配に応じた専用形状の部材が必要となる。
【００４１】
図５に示す比較例は、傾斜屋根１の第一鼻隠し部１００が有する傾いた軒側の面１００ａに対して、吊具８を用いて第一軒樋２０を水平姿勢で配置し、図示は省略するが、第二鼻隠し部１０１の軒側の面１０１ａに対して、第二軒樋２１を水平姿勢で配置した例である。この場合、第一鼻隠し部１００の面１００ａと第一軒樋２０の間に、大きな隙間が生まれ、下方から見上げたときに吊具８等が大きく露出して見栄えが悪くなる。第二鼻隠し部１０１の面１０１ａと第二軒樋２１との間においても、同様に見栄えが悪くなる。また、吊具８や軒継手として、傾斜屋根１の勾配に応じた専用形状の部材が必要になる。
【００４２】
添付図面に基づいて説明したように、本実施形態の屋根の排水構造は、傾斜屋根１の軒先部１０に取り付けられる少なくとも二つの軒樋２，２と、隣接する二つの軒樋２，２の端同士を連通接続させるケラバ樋３と、二つの軒樋２，２の一方に連通接続される縦樋４とを具備する。軒先部１０は、第一鼻隠し部１００と、第二鼻隠し部１０１と、ケラバ部１０２とを有する。第一鼻隠し部１００は、傾斜屋根１の傾斜方向Ｄ１と直交するように傾いた軒側の面１００ａを有し、且つ、縦樋４に連通接続される。第二鼻隠し部１０１は、第一鼻隠し部１００よりも高い位置にあり、且つ、傾斜屋根１の傾斜方向Ｄ１と直交するように傾いた軒側の面１０１ａを有する。ケラバ部１０２は、第一鼻隠し部１００と第二鼻隠し部１０１の端同士をクランク状に繋ぐ。二つの軒樋２，２は、第一鼻隠し部１００が有する軒側の面１００ａに沿うように傾いた姿勢で配置される第一軒樋２０と、第二鼻隠し部１０１が有する軒側の面１０１ａに沿うように傾いた姿勢で配置される第二軒樋２１である。ケラバ樋３は、第一軒樋２０と第二軒樋２１に対して共に直交する姿勢で連通接続される。
【００４３】
本実施形態の屋根の排水構造によれば、異なる高さにある第一軒樋２０と第二軒樋２１をケラバ樋３で連通接続させ、第一軒樋２０に接続させた縦樋４で共通に排水を行うことができる。そのため、建物９全体での縦樋４の数を減らすことができ、全体の見栄えが良くなる。また、第一軒樋２０を、第一鼻隠し部１００の面１００ａに沿って傾いた姿勢で配置し、第二軒樋２１を、第二鼻隠し部１０１の面１０１ａに沿って傾いた姿勢で配置するので、下から見上げたときに吊具７等が露出することも抑えられ、見栄えが更に良好となる。したがって、傾斜屋根１の軒先部１０が段差を有する形状であるにも関わらず、軒先の排水構造を、見栄え良く形成することが可能となる。
【００４４】
加えて、本実施形態の屋根の排水構造は、第一軒樋２０とケラバ樋３を互いに直交する方向に連通接続させる出隅状の第一軒継手５と、ケラバ樋３と第二軒樋２１を互いに直交する方向に連通接続させる入隅状の第二軒継手６とを更に具備する。
【００４５】
本実施形態の屋根の排水構造は、前記構成を具備する構造であるから、第一軒継手５と第二軒継手６は共にＬ字型に直交するタイプの継手でよく、傾斜屋根１の勾配に関わらず部材を共通化することが可能となる。
【００４６】
以上、本発明を添付図面に示す実施形態に基づいて説明したが、本発明は前記実施形態に限定されない。例えば、本実施形態の傾斜屋根１は、切妻屋根の一部を形成する傾斜屋根であるが、片流れ屋根等の他の形状の屋根を形成する傾斜屋根であってもよい。その他の構成についても、本発明の意図する範囲内であれば、適宜の設計変更を行うことが可能である。
【符号の説明】
【００４７】
１        傾斜屋根
１０      軒先部
１００    第一鼻隠し部
１００ａ  軒側の面
１０１    第二鼻隠し部
１０１ａ  軒側の面
１０２    ケラバ部
２        軒樋
２０      第一軒樋
２１      第二軒樋
３        ケラバ樋
４        縦樋
５        第一軒継手
６        第二軒継手
９        建物
Ｄ１      傾斜方向
【要約】
【課題】軒先に段差を有する傾斜屋根の排水構造を、見栄え良く形成する。
【解決手段】本発明の排水構造は、傾斜屋根１の軒先部１０に取り付けられる第一及び第二軒樋２０，２１と、両軒樋２０，２１を連通接続させるケラバ樋３と、第一軒樋２０に連通する縦樋４を具備する。軒先部１０は、第一鼻隠し部１００と、第二鼻隠し部１０１と、ケラバ部１０２とを有する。第一鼻隠し部１００の軒側の面１００ａに傾倒姿勢で第一軒樋２０を配し、第二鼻隠し部１０１の軒側の面１０１ａに傾倒姿勢で第二軒樋２１を配置する。ケラバ部１０２は、第一鼻隠し部１００と第二鼻隠し部１０１の端同士をクランク状に繋ぐ。
【選択図】図１【図１】
0005636128.tif 000002
【図２】
0005636128.tif 000003
【図３】
0005636128.tif 000004
【図４】
0005636128.tif 000005
【図５】
0005636128.tif 000006